(57)【要約】      （修正有）【課題】廃プラスチックを再利用したリサイクル商品である透水板を再び蘇らせ、屋上緑化分野で新たなる商品として使用できる屋上緑化システムを提供する。【解決手段】産業廃棄物である廃プラスチックの溶融固化物及びそれを粉砕して成した粒状物を用いた構造材をチップ状に砕き有機質で無用剤の特殊接着剤で一体化させ、空隙率が約２５％とした事を特徴とする多孔性の構造体から、透水板３・透水性Ｌ板８・透水性コーナー・透水性植木固定板・透水性重量板１８の各パーツを設け、それとは別に軽量素材で設けた継ぎ板７とを適宜組み合わせて配置した、屋上緑化システムで通気性・排水性に富むにも拘らず軽量であることを特徴とする。【選択図】    図１０
2004222698.tif 000002
【特許請求の範囲】
【請求項１】
産業廃棄物である廃プラスチックの溶融固化物及びそれを破砕して成した粒状物を用いた構造材（１）を、チップ状に砕き有機質で無溶剤の特殊接着剤で一体化させ、空隙率が約２５％としたことを特徴とする多孔性の構造体（３）。
【請求項２】
３０ｃｍくらいの適当な大きさで、外周４面を耳部（４）とし中央部より少し高く設け、下側４隅に下部（５）を設け、下部（５）のない部分を透水板排水溝（６）とし、透水性があることを特徴とする請求項１記載の構造体から成した透水板（３）。
【請求項３】
高さ方向の側部（１２）と水平方向のＬ板底部（１０）・Ｌ板排水溝（９）からなり側面からも水を容易に排出させるためのもので、透水性があることを特徴とする請求項１記載の構造体から成した透水性Ｌ板（８）。
【請求項４】
Ｌ字形で高さ方向の側部（１２）と水平方向を三角形にしたコーナー底部（１３）からなり４隅に置いて使用するもので、透水性があることを特徴とする請求項１記載の構造体から成した透水性コーナー（１１）。
【請求項５】
植木固定板底部（１６）と上部中央に支柱止め孔（１７）を有する支柱（１５）からなり、透水板（３）の変わりに置き、三方支柱において木を支え倒木を防止するためのもので、透水性があることを特徴とする請求項１記載の構造体から成した透水性植木固定板（１４）。
【請求項６】
透水板（３）の約３倍位の面積からなり、比重が砂の数倍あるもので成し、透水性Ｌ板（８）や透水性コーナー（１１）や屋上の木が風力による倒壊を防ぐためのもので、透水性があることを特徴とする請求項１記載の構造体から成した透水性重量板（１８）。
【請求項７】
アルミニウム等の軽量素材で設けた継ぎ板（７）と廃プラスチックを原料とした請求項２〜６記載の透水性構造体を組み合わせて成す軽量透水板屋上緑化工事システム。
【発明の詳細な説明】
【０００１】
【発明の属する技術分野】
本発明は塩化ビニールなどに代表される産業廃棄物としての廃プラスチックを再利用したリサイクル商品である透水板を再び蘇らせ、新たなる屋上緑化分野での新しい素材、環境を良くする素材として生まれ変わり、今後それ以上の環境造りに貢献出来る商品のうえ何回でも再利用が出来、産業廃棄物を出すこともなくゴミの減量に貢献できる産業廃棄物を利用した屋上緑化工事システムに関するものである。
【０００２】
【従来の技術】
従来、家屋やビル等の屋上緑化に関しては余り関心が持たれていなかったが、近年ヒートアイランド現象問題で俄然注目を浴びるようになった。そして一部の都市では条例で一定以上の新築のビルには屋上緑化が義務付けられている。それまで関心を持たれなかった最大の理由は建築物に対する重量の問題であり、続いて水の排水の問題や土の流出の問題・防水加工への影響等の問題点が多数あった。最大の問題点である重量の点で言えば、レンガ・ブロック等の重量物による施工が主流であったため避けて通れない問題であった。従って屋上緑化には軽量であって植物が根腐れを引き起こすことのないようなものが求められている。
【０００３】
又緑化資材としては樹脂成型物が用いられているがコスト面・施工性等で問題がある。そんな中で軽量な樹脂製糸条のものを利用したもの（特許文献１参照）も開発されているが、構造が複雑で施工性があまりよくない。
【０００４】
【特許文献１】
公開番号：特許公開２００２−１７１８２９  公開日：２００２年６月１８日出願人：東亜紡織株式会社  発明者：戸塚  登  他３名  発明の名称：屋上緑化用資材及び屋上緑化システム
【０００５】
【発明が解決しようとする課題】
従来の技術ではなしえなかった環境を悪化させている廃プラスチックで代表される産業廃棄物をリサイクル商品として全く別の新しい環境造りの製品として蘇らせ、子々孫々の代まで良い環境を残すために産業廃棄物を少しでも減らしてゼロミッションにたった商品造りと廃プラスチックの再利用を可能にすることでプラスチックの応用範囲が広がることを合わせて課題とする。
【０００６】
【課題を解決するための手段】
上記課題を解決するために本発明は以下の手段を採用している。
（イ）産業廃棄物である廃プラスチックの溶融固化物及びそれを破砕して成した粒状物を用いた構造材（１）を設ける。
（ロ）上記構造材（１）をチップ状に砕き、有機質で無溶剤の特殊接着剤で一体化させ、空隙率が約２５％としたことを特徴とする多孔性の構造体（２）を設ける。
（ハ）上記構造体（２）を型にはめ透水板（３）を設ける。透水板（３）は３０ｃｍくらいの適当なサイズの大きさとし、外周４面を耳部（４）とし中央部より少し高く設け、下側４隅に下部（５）を設け、下部（５）のない部分を透水板排水溝（６）とする。
（ニ）アルミニウム等の軽量素材でコの字形の継ぎ板（７）を設ける。
（ホ）同様に上記構造体（２）を型にはめＬ字形で高さ方向の側部（１２）と水平方向のＬ板底部（１０）、Ｌ板排水溝（９）からなる透水性Ｌ板（８）を設ける。
（ヘ）同様に上記構造体（２）を型にはめＬ字形で高さ方向の側部（１２）と水平方向を三角形にしたコーナー底部（１３）からなる透水性コーナー（１１）を設ける。
（ト）同様に上記構造体（２）を型にはめ透水板（３）の約３倍位の面積からなる植木固定板底部（１６）と上部中央に支柱止め孔（１７）を有する支柱（１５）からなる透水性植木固定板（１４）を設ける。
（チ）同様に上記構造体（２）を型にはめ透水板（３）の約３倍位の面積からなる透水性重量板（１８）を設ける。
【０００７】
本発明に使用するパーツは以上で、これを実際にビルの屋上に施工する一例を示す。
（リ）まず最初に横方向に透水板（３）の耳部（４）を揃えて並べ、ひとつずつ隣り合う耳部（４）を継ぎ板（７）でつなぎ合わせ一列を完成させる。
（ル）次に２列目の透水板（３）は一列目の透水板（３）と縦方向を同様に継ぎ板（７）でつなぎ合わせそして隣り合う横方向も同様に継ぎ板（７）でつなぎ合わせる。
（ヌ）３列目以降も同様に縦方向と横方向の２箇所を順次つなぎ合わせ、縁を除いた必要な面積分一面に透水板（３）を敷き詰める。
（ル）その周りの縁に透水性Ｌ板（８）を配置し、透水性Ｌ板（８）のＬ板底部（１０）の上に透水性重量板（１８）を置き透水性Ｌ板（８）を固定させる。
（オ）角の部分に透水性コーナー（１１）を設置して図８のように基盤を完成させる。
（ワ）一面に不織布を敷き詰める。
（カ）土を入れて完成させる。
（ヨ）図９は１ｍから３ｍくらいの木を植える場合に使用する透水性植木固定版（１４）の使用例で、必要に応じて透水板（３）の代わりに配置した透水性植木固定版（１４）の支柱止め孔（１７）にボルト（２０）を差し込み添え木（１９）と支柱（１５）を固定させ、底部（１６）の上に透水性重量板を木の高さに応じて複数個載せる。この透水性植木固定版（１４）は木の高さ等に応じて複数個設ける。
後は個別に植栽すれば、ビルやマンションなどの屋上の緑化システムの完成となる。
【０００８】
【発明の実施の形態】
以下本発明の実施の形態について図面に基づいて説明する。
図１は、産業廃棄物である廃プラスチックの溶融固化物及びそれを破砕して成した粒状物を用いた構造材（１）である。
【０００９】
図２は、上記構造材（１）をチップ状に砕き、有機質で無溶剤の特殊接着剤で一体化させ、空隙率が約２５％としたことを特徴とする多孔性の構造体（２）を、型にはめて設けた透水板（３）である。透水板（３）は一例として３０ｃｍくらいの適当なサイズの大きさとし、外周４面を耳部（４）とし中央部より少し高く設け、下側４隅に下部（５）を設け、下部（５）のない部分を透水板排水溝（６）とし、透水板排水溝（６）は中央に十文字になり、雨水や散水を外部に排出する。
【００１０】
図３は、アルミニウム等の軽量素材でコの字形の継ぎ板（７）である。透水板（３）の四方の耳部（４）同士を噛み合わせて透水板（３）と透水板（３）を継ぎ合わせる働きをする。これにより透水板（３）が一体化され少々の地震においても外れたりバラバラになることはない。
【００１１】
図４は、上記構造体（２）を型にはめＬ字形にした透水性Ｌ板（８）である。透水性Ｌ板（８）は、高さ方向の側部（１２）と水平方向のＬ板底部（１０）・Ｌ板排水溝（９）からなり、一例として側部（１２）の高さ７０ｃｍ・幅９０ｃｍ、Ｌ板底部（１０）の幅３０ｃｍ・長さ９０ｃｍの大きさに設ける。透水性Ｌ板（８）は従来、レンガやブロックを積んで形成していたものは、大雨の時などに下部に水を排出出来ず、プール状態となり建築物に重量負担をかけていたが、側部（１２）も上記構造体（２）からなることにより、側面からも排出でき建築物に重量負担をかけなくて済むようになる。透水板（３）と同位置になるようにＬ板排水溝（９）を設けることにより、容易に水を排出することが出来る。その結果土も固くならず、植物の根腐れも起こしにくいようになる。そして空隙率を２５％くらいと高くしたことにより、通気性も良好となり植物の根が活性化され、生育を促進させる。
【００１２】
図５は、上記構造体（２）を型にはめＬ字形で高さ方向の側部（１２）と水平方向を三角形にしたコーナー底部（１３）からなる透水性コーナー（１１）である。透水性コーナー（１１）のサイズは一例として高さ７０ｃｍ・幅５０ｃｍくらいで設ける。透水性コーナー（１１）は本発明の屋上緑化システムにおいて、透水板（３）を敷き詰め、その周りに透水性Ｌ板（８）を置き一体化させた後、最後に４隅に置いて使用する。上記と同様に水のみを排出し土の流出を食い止める。
【００１３】
図６は、上記構造体（２）を型にはめ透水板（３）の約３倍位の面積からなる植木固定板底部（１６）と上部中央に支柱止め孔（１７）を有する支柱（１５）からなる透水性植木固定板（１４）である。透水性植木固定板（１４）は透水板（３）の３枚分の面積位からなり、透水板（３）３枚の変わりに置き、三方支柱において木を支え倒木を防止する。
【００１４】
図７は、上記構造体（２）を型にはめ透水板（３）の約３倍位の面積からなる透水性重量板（１８）である。透水性重量板（１８）は、透水性Ｌ板（８）や透水性植木固定板（１４）が倒れるのを防止するために使用するで、比重が砂の数倍あるもので成し、屋上の木が風力による倒壊を防ぐためのものである。
【００１５】
図８は、本発明の屋上の緑化システムの施工の一例を示すものである。
まず最初に横方向に透水板（３）の耳部（４）を揃えて並べ、ひとつづつ隣り合う耳部（４）を継ぎ板（７）でつなぎ合わせ一列を完成させる。
【００１６】
次に２列目の透水板（３）は一列目の透水板（３）と縦方向を同様に継ぎ板（７）でつなぎ合わせそして隣り合う横方向も同様に継ぎ板（７）でつなぎ合わせる。
【００１７】
３列目以降も同様に縦方向と横方向の２箇所を順次つなぎ合わせ、縁を除いた必要な面積分一面に透水板（３）を敷き詰める。
【００１８】
その周りの縁に透水性Ｌ板（８）を配置し、透水性Ｌ板（８）のＬ板底部（１０）の上に透水性重量板（１８）を置き透水性Ｌ板（８）を固定させる。
【００１９】
角の部分に透水性コーナー（１１）を設置して図８の基盤の完成である。
【００２０】
一面に不織布を敷き詰めた後、土を入れて完成である。
排水溝が施工面積に関係なく四方に確保されているので、雨水などを容易に排出される。そして側面も透水性Ｌ板（８）や透水性コーナー（１１）からなっているので水が排出され、水がプール状態になることは有得ない。地震等のときも継ぎ板（３）により一体化されていることにより敷いたものが分散することはない。工事などのときも上部の土を取り除けば、素早く下部の透水板（３）の交換が出来工事が早くできる。
【００２１】
図９は１ｍから３ｍくらいの木を植える場合に使用する透水性植木固定版（１４）の使用例である。必要に応じて透水板（３）の代わりに配置した透水性植木固定版（１４）の支柱止め孔（１７）にボルト（２０）を差し込み添え木（１９）と支柱（１５）を固定させ、植木固定板底部（１６）の上に透水性重量板（１８）を木の高さに応じて複数個載せる。この透水性植木固定版（１４）は木の高さ等に応じて複数個設ける。後は個別に適宜植栽すれば、ビルやマンションなどの屋上の緑化システム完成となる。
【００２２】
図１０は上記パーツを組み合わせて配置した施工例を表す部分的な断面図で、透水板（３）を継ぎ板（７）で連結し縁に透水性Ｌ板（８）を置き、透水性Ｌ板（８）が倒れるのを防ぐために透水性重量板（１８）を載せる。透水板（３）と透水性Ｌ板（８）には水を排出するためにそれぞれ透水板排水溝（６）・Ｌ板排水溝を設ける。
【００２３】
【発明の効果】
上記記載の説明の通り、透水性のある種々の部品を組み合わせるだけで出来ることから、現場での施工が誰にでも簡単に出来る上に時間も従来のレンガやブロックを組み合わせる方法などと比べても格段に素早く出来るメリットがある。廃プラスチックを粒状物と特殊接着剤により一体化構造体とし、透水性のある透水板とする事により、通気性・透水性・軽量性に優れたリサイクル商品として蘇り、ゴミを次世代に残すことなく、ビルの緑化システムを通じて地球環境の維持に貢献出来、未来の環境造りに大いに役立つ商品であると考えられる。
【図面の簡単な説明】
【図１】本発明の廃プラスチックの溶融固化物及びそれを破砕してなした粒状物を用いた構造材の斜視図
【図２】本発明の透水板の斜視図
【図３】本発明の継ぎ板の斜視図
【図４】本発明の透水性Ｌ板の斜視図
【図５】本発明の透水性コーナーの斜視図
【図６】本発明の透水性植木固定板の斜視図
【図７】本発明の透水性重量板の斜視図
【図８】本発明の実施の形態の施工例を表す配置図
【図９】本発明の実施の形態である植木固定板の使用例の斜視図
【図１０】本発明の施工例を表す部分拡大断面図
【符号の説明】
（１）    廃プラスチックの溶融固化物及びそれを破砕してなした粒状物を用いた構造材
（２）    構造材をチップ状に砕いて特殊接着剤で一体化させた構造体
（３）    透水板
（４）    耳部
（５）    下部
（６）    透水板排水溝
（７）    継ぎ板
（８）    透水性Ｌ板
（９）    Ｌ板排水溝
（１０）  Ｌ板底部
（１１）  透水性コーナー
（１２）  側部
（１３）  コーナー底部
（１４）  透水性植木固定板
（１５）  支柱
（１６）  植木固定板底部
（１７）  支柱止め孔
（１８）  透水性重量板
（１９）  添え木
（２０）  ボルト
【図１】
2004222698.tif 000003
【図２】
2004222698.tif 000004
【図３】
2004222698.tif 000005
【図４】
2004222698.tif 000006
【図５】
2004222698.tif 000007
【図６】
2004222698.tif 000008
【図７】
2004222698.tif 000009
【図８】
2004222698.tif 000010
【図９】
2004222698.tif 000011
【図１０】
2004222698.tif 000012